【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
データ処理システムによって生成される出力データセットを示す情報を受信することと、
前記出力データセットに関係するデータ系列情報に基づき、前記出力データセットが依拠する１つ又は複数のアップストリームデータセットを識別することと、
前記出力データセットが依拠する前記識別された１つ又は複数のアップストリームデータセットの１つ又は複数を分析することであって、前記１つ又は複数のアップストリームデータセットのうちの特定のアップストリームデータセットごとに、
（ｉ）前記特定のアップストリームデータセットのプロファイルと前記特定のアップストリームデータセットに関する基準プロファイルとの間の許容偏差を示す第１の規則、及び
（ｉｉ）前記特定のアップストリームデータセット内の１つ又は複数のデータ要素のそれぞれに関する１つ又は複数の許容値又は禁止値を示す第２の規則
のうちの１つ又は複数を適用し、前記１つ又は複数の規則を適用した結果に基づき、前記アップストリームデータセットの１つ又は複数を選択すること、
を含む、分析することと、
前記選択された１つ又は複数のアップストリームデータセットに関連する情報を出力することと、
を含む、方法。
【請求項２】
前記第１の規則及び前記第２の規則の１つ又は複数が自動で生成される、請求項１に記載の方法。
【請求項３】
前記第１の規則が、前記特定のアップストリームデータセットの履歴プロファイルの自動分析に基づいて自動で生成される、請求項２に記載の方法。
【請求項４】
前記基準プロファイルが、前記特定のアップストリームデータセットに関する履歴平均プロファイルに基づく、請求項３に記載の方法。
【請求項５】
前記第２の規則が、前記特定のアップストリームデータセット内の前記１つ又は複数のデータ要素に関する履歴値の自動分析に基づいて自動で生成される、請求項２に記載の方法。
【請求項６】
前記許容値又は禁止値が前記自動分析に基づいて決定される、請求項５に記載の方法。
【請求項７】
前記第１の規則及び前記第２の規則の１つ又は複数がユーザによって指定される、請求項１に記載の方法。
【請求項８】
前記第１の規則及び前記第２の規則の１つ又は複数の指定を、ユーザインタフェースを通して受信することを含む、請求項１に記載の方法。
【請求項９】
データ系列情報が、前記出力データセットが依拠する１つ又は複数のデータセット、前記出力データセットに依拠する１つ又は複数のデータセット、又はその両方を示す、請求項１に記載の方法。
【請求項１０】
前記データセットの部分集合を識別するために前記１つ又は複数のデータセットのそれぞれを分析することが、前記１つ又は複数のデータセットの何れが誤り又は起こり得る誤りを有するかを判定することを含み、
前記方法が、前記部分集合に関して誤り又は起こり得る誤りを有する前記データセットを選択することを含む、請求項１に記載の方法。
【請求項１１】
前記データセットの部分集合を識別するために前記１つ又は複数のデータセットのそれぞれを分析することが、特定のデータセットであって、前記特定のデータセットの前記プロファイルと前記特定のデータセットに関する前記基準プロファイルとの間の偏差が、前記対応する第１の規則によって示される前記許容偏差を上回る、特定のデータセットを識別することを含み、
前記方法が、前記部分集合のために前記特定のデータセットを選択することを含む、請求項１に記載の方法。
【請求項１２】
前記データセットの部分集合を識別するために前記１つ又は複数のデータセットのそれぞれを分析することが、前記対応する第２の規則によって示される前記許容値又は禁止値を満たさない値を有するデータ要素を有する特定のデータセットを識別することを含み、
前記方法が、前記部分集合のために前記特定のデータセットを選択することを含む、請求項１に記載の方法。
【請求項１３】
前記出力データセット内のデータ要素を識別することを含み、前記出力データセットが依拠する前記１つ又は複数のデータセットを識別することが、前記出力データセット内の前記識別されたデータ要素に影響を及ぼすデータセットを識別することを含む、請求項１に記載の方法。
【請求項１４】
前記出力データセット内のデータ要素を識別することが、誤り又は起こり得る誤りを有するデータ要素を識別することを含む、請求項１３に記載の方法。
【請求項１５】
前記アップストリームデータセットの１つ又は複数のプロファイルを生成することを含む、請求項１に記載の方法。
【請求項１６】
特定のデータセットのプロファイルを生成することが、前記特定のデータセットの新バージョンが受信されるときに前記特定のデータセットの新規プロファイルを生成することを含む、請求項１５に記載の方法。
【請求項１７】
特定のデータセットに関する前記基準プロファイルが、前記特定のデータセットの１つ又は複数の過去のプロファイルから導出される、請求項１に記載の方法。
【請求項１８】
前記データセットの部分集合に関連する情報を出力することが、前記部分集合の前記データセットのそれぞれの識別子を出力することを含む、請求項１に記載の方法。
【請求項１９】
前記データセットの部分集合に関連する情報を出力することが、前記部分集合の前記データセットのそれぞれに関連する誤り又は起こり得る誤りの標識を出力することを含む、請求項１に記載の方法。
【請求項２０】
前記データ処理システムの表現をユーザインタフェース上で表示することを含み、前記データセットの部分集合に関連する情報を出力することが、前記データセットの部分集合の特定のデータセットの表現の近くに前記部分集合の前記特定のデータセットに関連する情報を表示することを含む、請求項１に記載の方法。
【請求項２１】
前記部分集合の前記特定のデータセットに関連する前記表示された情報が、前記特定のデータセットの前記プロファイルと前記特定のデータセットに関する前記基準プロファイルとの間の偏差を示す値を含む、請求項２０に記載の方法。
【請求項２２】
前記部分集合の前記特定のデータセットに関連する前記表示された情報が、前記対応する第２の規則によって示される前記許容値又は禁止値を満たさない前記特定のデータセット内のデータ要素の数を表す値を含む、請求項２０に記載の方法。
【請求項２３】
前記データセットの部分集合に関する情報を示す情報バブル又はポップアップウィンドウを表示することを含む、請求項２０に記載の方法。
【請求項２４】
ユーザが規則を追加するか、規則を修正するか、又は規則を除去することを可能にするためのユーザインタフェースを提供することを含む、請求項１に記載の方法。
【請求項２５】
前記データセットが１つ又は複数のソースデータセット及び１つ又は複数の基準データセットを含み、前記ソースデータセットが、前記データ処理システムによって処理されるデータ要素を含み、前記基準データセットが、前記ソースデータセット内の前記データ要素を処理する際に前記データ処理システムによって参照される基準値を含む、請求項１に記載の方法。
【請求項２６】
前記基準データセットが、前記データ処理システムに関連する企業体に関連するデータを含み、及び前記ソースデータセットが、前記企業体の顧客に関連するデータを含む、請求項２５に記載の方法。
【請求項２７】
前記データ処理システムが変換要素を含み、及び前記方法が、前記出力データセットに影響を及ぼす１つ又は複数の変換要素を前記データ系列情報に基づいて識別することを含む、請求項１に記載の方法。
【請求項２８】
前記変換要素の何れの１つ又は複数が誤り又は起こり得る誤りを有するかを判定することを含む、請求項２７に記載の方法。
【請求項２９】
特定のデータ処理要素が誤り又は起こり得る誤りを有するかどうかを、前記特定の変換要素に関連する実装日に基づいて判定することを含む、請求項２８に記載の方法。
【請求項３０】
データ処理システムによって生成される出力データセットを示す情報を受信することと、
前記出力データセットに関係するデータ系列情報に基づき、前記出力データセットが依拠する１つ又は複数のアップストリームデータセットを識別することと、
前記出力データセットが依拠する前記識別された１つ又は複数のアップストリームデータセットの１つ又は複数を分析することであって、前記１つ又は複数のアップストリームデータセットのうちの特定のアップストリームデータセットごとに、
（ｉ）前記特定のアップストリームデータセットのプロファイルと前記特定のアップストリームデータセットに関する基準プロファイルとの間の許容偏差を示す第１の規則、及び
（ｉｉ）前記特定のアップストリームデータセット内の１つ又は複数のデータ要素のそれぞれに関する１つ又は複数の許容値又は禁止値を示す第２の規則
のうちの１つ又は複数を適用し、前記１つ又は複数の規則を適用した結果に基づき、前記アップストリームデータセットの１つ又は複数を選択すること、
を含む、分析することと、
前記選択された１つ又は複数のアップストリームデータセットに関連する情報を出力することと、
を計算システムに行わせるための命令を記憶する、非一時的コンピュータ可読媒体。
【請求項３１】
メモリに結合される１つ又は複数のプロセッサを含む計算システムであって、前記１つ又は複数のプロセッサ及びメモリは、
データ処理システムによって生成される出力データセットを示す情報を受信することと、
前記出力データセットに関係するデータ系列情報に基づき、前記出力データセットが依拠する１つ又は複数のアップストリームデータセットを識別することと、
前記出力データセットが依拠する前記識別された１つ又は複数のアップストリームデータセットの１つ又は複数を分析することであって、前記１つ又は複数のアップストリームデータセットのうちの特定のアップストリームデータセットごとに、
（ｉ）前記特定のアップストリームデータセットのプロファイルと前記特定のアップストリームデータセットに関する基準プロファイルとの間の許容偏差を示す第１の規則、及び
（ｉｉ）前記特定のアップストリームデータセット内の１つ又は複数のデータ要素のそれぞれに関する１つ又は複数の許容値又は禁止値を示す第２の規則
のうちの１つ又は複数を適用し、前記１つ又は複数の規則を適用した結果に基づき、前記アップストリームデータセットの１つ又は複数を選択すること、
を含む、分析することと、
前記選択された１つ又は複数のアップストリームデータセットに関連する情報を出力することと、
を行うように構成される、計算システム。
【請求項３２】
データ処理システムによって生成される出力データセットを示す情報を受信するための手段と、
前記出力データセットに関係するデータ系列情報に基づき、前記出力データセットが依拠する１つ又は複数のアップストリームデータセットを識別するための手段と、
前記出力データセットが依拠する前記識別された１つ又は複数のアップストリームデータセットの１つ又は複数を分析するための手段であって、前記分析することが、前記１つ又は複数のアップストリームデータセットのうちの特定のアップストリームデータセットごとに、
（ｉ）前記特定のアップストリームデータセットのプロファイルと前記特定のアップストリームデータセットに関する基準プロファイルとの間の許容偏差を示す第１の規則、及び
（ｉｉ）前記特定のアップストリームデータセット内の１つ又は複数のデータ要素のそれぞれに関する１つ又は複数の許容値又は禁止値を示す第２の規則
のうちの１つ又は複数を適用し、前記１つ又は複数の規則を適用した結果に基づき、前記アップストリームデータセットの１つ又は複数を選択すること、
を含む、手段と、
前記選択された１つ又は複数のアップストリームデータセットに関連する情報を出力するための手段と、
を含む、計算システム。
【請求項３３】
１つ又は複数の前記第１の規則及び前記第２の規則は、自動的に生成される、請求項３０に記載の非一時的コンピュータ可読媒体。
【請求項３４】
前記命令は、前記計算システムに、１つ又は複数の前記第１の規則及び前記第２の規則の指定を、ユーザインタフェースを通じて受信することを行わせる、請求項３０に記載の非一時的コンピュータ可読媒体。
【請求項３５】
前記１つ又は複数のデータセットのそれぞれを分析して前記データセットの部分集合を識別することは、前記１つ又は複数のデータセットの何れが誤り又は起こり得る誤りを有するかを判定することを含み、
前記命令は、前記計算システムに、前記誤り又は起こり得る誤りを有する前記データセットを、前記部分集合として選択することを行わせる、請求項３０に記載の非一時的コンピュータ可読媒体。
【請求項３６】
前記１つ又は複数のデータセットのそれぞれを分析して前記データセットの部分集合を識別することは、特定のデータセットのプロファイルと、前記特定のデータセットの基準プロファイルとの間の偏差が、対応する前記第１の規則によって示される許容偏差を上回る特定のデータセットを識別することを含み、
前記命令は、前記計算システムに、前記特定のデータセットを、前記部分集合として選択することを行わせる、請求項３０に記載の非一時的コンピュータ可読媒体。
【請求項３７】
前記１つ又は複数のデータセットのそれぞれを分析して前記データセットの部分集合を識別することは、対応する前記第２の規則によって示される前記許容値又は前記禁止値を満たさない値を有するデータ要素を有する特定のデータセットを識別することを含み、
前記命令は、前記計算システムに、前記特定のデータセットを、前記部分集合として選択することを行わせる、請求項３０に記載の非一時的コンピュータ可読媒体。
【請求項３８】
前記命令は、前記計算システムに、前記出力データセット内のデータ要素を識別することを行わせ、
前記出力データセットが依拠する前記一つ又は複数のデータセットを識別することは、前記出力データセット内の識別された前記データ要素に影響を及ぼすデータセットを識別することを含む、請求項３０に記載の非一時的コンピュータ可読媒体。
【請求項３９】
前記命令は、前記計算システムに、前記１つ又は複数のアップストリームデータセットのプロファイルを生成することを行わせる、請求項３０に記載の非一時的コンピュータ可読媒体。
【請求項４０】
前記命令は、前記計算システムに、前記データ処理システムの表現をユーザインタフェース上に表示することを行わせ、
前記データセットの部分集合に関連する情報を出力することは、前記データセットの部分集合の特定のデータセットの表現の近くに部分集合の特定のデータセットに関連する情報を表示することを含む、請求項３０に記載の非一時的コンピュータ可読媒体。
【請求項４１】
前記命令は、前記計算システムに、ユーザが規則を追加し、規則を修正し、又は規則を削除することを可能にするためのユーザインタフェースを提供することを行わせる、請求項３０に記載の非一時的コンピュータ可読媒体。
【請求項４２】
前記データ処理システムは、変換要素を含み、
前記命令は、前記計算システムに、前記出力データセットに影響を及ぼす１つ又は複数の変換要素を前記データ系列情報に基づいて識別することを行わせる、請求項３０に記載の非一時的コンピュータ可読媒体。
【請求項４３】
前記命令は、前記計算システムに、前記変換要素の何れの１つ又は複数が誤り又は起こり得る誤りを有するかを判定することを行わせる、請求項３０に記載の非一時的コンピュータ可読媒体。
【請求項４４】
前記命令は、前記計算システムに、特定のデータ処理要素が誤り又は起こり得る誤りを有するかどうかを、特定の変換要素に関連する実装日に基づいて判定することを行わせる、請求項３０に記載の非一時的コンピュータ可読媒体。
【請求項４５】
１つ又は複数の前記第１の規則及び前記第２の規則は、自動的に生成される、請求項３１に記載の計算システム。
【請求項４６】
前記１つ又は複数のプロセッサ及びメモリは、１つ又は複数の前記第１の規則及び前記第２の規則の指定を、ユーザインタフェースを通じて受信するように構成されている、請求項３１に記載の計算システム。
【請求項４７】
前記１つ又は複数のデータセットのそれぞれを分析して前記データセットの部分集合を識別することは、前記１つ又は複数のデータセットの何れが誤り又は起こり得る誤りを有するかを判定することを含み、
前記１つ又は複数のプロセッサ及びメモリは、前記誤り又は起こり得る誤りを有する前記データセットを、前記部分集合として選択するように構成されている、請求項３１に記載の計算システム。
【請求項４８】
前記１つ又は複数のデータセットのそれぞれを分析して前記データセットの部分集合を識別することは、特定のデータセットのプロファイルと、前記特定のデータセットの基準プロファイルとの間の偏差が、対応する前記第１の規則によって示される許容偏差を上回る特定のデータセットを識別することを含み、
前記１つ又は複数のプロセッサ及びメモリは、前記特定のデータセットを、前記部分集合として選択するように構成されている、請求項３１に記載の計算システム。
【請求項４９】
前記１つ又は複数のデータセットのそれぞれを分析して前記データセットの部分集合を識別することは、対応する前記第２の規則によって示される前記許容値又は前記禁止値を満たさない値を有するデータ要素を有する特定のデータセットを識別することを含み、
前記１つ又は複数のプロセッサ及びメモリは、前記特定のデータセットを、前記部分集合として選択するように構成されている、請求項３１に記載の計算システム。
【請求項５０】
前記１つ又は複数のプロセッサ及びメモリは、前記出力データセット内のデータ要素を識別するように構成されており、前記出力データセットが依拠する前記一つ又は複数のデータセットを識別することは、前記出力データセット内の識別された前記データ要素に影響を及ぼすデータセットを識別することを含む、請求項３１に記載の計算システム。
【請求項５１】
前記１つ又は複数のプロセッサ及びメモリは、前記１つ又は複数のアップストリームデータセットのプロファイルを生成するように構成されている、請求項３１に記載の計算システム。
【請求項５２】
前記１つ又は複数のプロセッサ及びメモリは、前記データ処理システムの表現をユーザインタフェース上に表示するように構成されており、前記データセットの部分集合に関連する情報を出力することは、前記データセットの部分集合の特定のデータセットの表現の近くに部分集合の特定のデータセットに関連する情報を表示することを含む、請求項３１に記載の計算システム。
【請求項５３】
前記１つ又は複数のプロセッサ及びメモリは、ユーザが規則を追加し、規則を修正し、又は規則を削除することを可能にするためのユーザインタフェースを提供するように構成されている、請求項３１に記載の計算システム。
【請求項５４】
前記データ処理システムは、変換要素を含み、
前記１つ又は複数のプロセッサ及びメモリは、前記出力データセットに影響を及ぼす１つ又は複数の変換要素を前記データ系列情報に基づいて識別するように構成されている、請求項３１に記載の計算システム。
【請求項５５】
前記１つ又は複数のプロセッサ及びメモリは、前記変換要素の何れの１つ又は複数が誤り又は起こり得る誤りを有するかを判定するように構成されている、請求項５４に記載の計算システム。
【請求項５６】
前記１つ又は複数のプロセッサ及びメモリは、特定のデータ処理要素が誤り又は起こり得る誤りを有するかどうかを、特定の変換要素に関連する実装日に基づいて判定するように構成されている、請求項５５に記載の計算システム。